(57)【要約】      （修正有）【課題】階段、傾斜路、吹き抜けなど高低差のある場所に設置した場合に、通行人が低地から見上げた際にＬＥＤ光源の眩しさを防止すると共に、十分な明るさで照明することができる照明手摺を提供する。【解決手段】照明手摺１００は、下方に開口する凹部３１が長手通しに設けられた手摺笠木３０と、手摺笠木３０の凹部３１内に複数のＬＥＤ光源４１が並列に配置されたＬＥＤモジュール４０と、凹部３１の開口部３２に配置された帯板状の照明カバー１１０とを備える。照明カバー１１０には、光透過層と遮光層とが開口部３２の長手方向に交互に繰り返し配置されたルーバー部を備える。【選択図】図８
2020204236.tif 000002
【特許請求の範囲】
【請求項１】
下方に開口する凹部が長手通しに設けられた手摺笠木と、前記手摺笠木の凹部内に複数のＬＥＤ光源が並列に配置されたＬＥＤモジュールと、前記凹部の開口部に配置された帯板状の照明カバーとを備えた照明手摺であって、
前記照明カバーは、光透過層と遮光層とが前記開口部の長手方向または幅方向に交互に繰り返し配置されたルーバー部を備えていることを特徴とする照明手摺。
【請求項２】
前記ＬＥＤモジュールの隣り合う前記ＬＥＤ光源は、これらを通る仮想鉛直面に対して、当該ＬＥＤ光源の出射光軸が傾くように配置されていることを特徴とする請求項１に記載の照明手摺。
【請求項３】
前記ルーバー部は、前記光透過層と前記遮光層とが前記開口部の長手方向に交互に配置されると共に、前記遮光層が前記開口部の長手方向に対して略直交に配置されていることを特徴とする請求項１又は２に記載の照明手摺。
【請求項４】
前記ルーバー部は、前記光透過層と前記遮光層とが前記開口部の幅方向に交互に配置されると共に、前記遮光層が前記開口部の長手方向に対して略平行に配置されていることを特徴とする請求項１又は２に記載の照明手摺。
【請求項５】
前記ルーバー部の遮光層は、隣り合う前記ＬＥＤ光源を通る仮想鉛直面に対して傾くように配置されていることを特徴とする請求項４に記載の照明手摺。
【請求項６】
前記遮光層と前記ＬＥＤ光源の出射光軸とが略平行となっていることを特徴とする請求項５に記載の照明手摺。
【請求項７】
前記ＬＥＤ光源と前記照明カバーとの間に光拡散板を設けたことを特徴とする請求項１から６のいずれか１項に記載の照明手摺。
【発明の詳細な説明】
【技術分野】
【０００１】
本発明は、階段や通路等に設置される手摺笠木に照明を組み込んだ照明手摺に関するものである。
【背景技術】
【０００２】
従来、階段や通路等に設置される手摺において、照明を手摺笠木に組み込んだ照明手摺が広く知られている。この種の照明手摺として、下方に開口する凹部を長手通しに有する手すり本体（手摺笠木）と、凹部内に配置された複数の発光ダイオード（ＬＥＤ光源）と、凹部の開口部に配置された光透過性部材（照明カバー）とを備えた照明手摺が知られている（特許文献１参照）。
【先行技術文献】
【特許文献】
【０００３】
【特許文献１】実用新案登録第３２０２８４９号公報
【発明の概要】
【発明が解決しようとする課題】
【０００４】
特許文献１に記載の照明手摺を階段に設置した場合、ＬＥＤ光源の指向性が強いことから、通行人が階下から階上を見上げた際に、ＬＥＤ光源の光が目に入って眩しさを感じることがあった。
しかし、ＬＥＤ光源の眩しさを軽減するために、照明手摺のＬＥＤ光源の輝度を下げると、照明として十分な明るさを確保できない。
【０００５】
そこで、本発明の目的は、階段、傾斜路、吹き抜けなど高低差のある場所に設置した場合に、通行人が低地から見上げた際にＬＥＤ光源の眩しさを防止すると共に、十分な明るさで照明することができる照明手摺を提供することにある。
【課題を解決するための手段】
【０００６】
上記の目的を達成するために、本発明の第１の特徴は、下方に開口する凹部が長手通しに設けられた手摺笠木と、前記手摺笠木の凹部内に複数のＬＥＤ光源が並列に配置されたＬＥＤモジュールと、前記凹部の開口部に配置された帯板状の照明カバーとを備えた照明手摺であって、前記照明カバーは、光透過層と遮光層とが前記開口部の長手方向または幅方向に交互に繰り返し配置されたルーバー部を備えていること、を特徴とする。
第１の特徴によれば、光透過層と遮光層とが交互に積層されたルーバー部により光の出射方向が制限されるため、視野範囲外から手摺笠木の開口部を見たときはＬＥＤ光源の光が直接目に入らず、通行人が感じる不快な眩しさを防止することができ、加えて、視野範囲では十分な明るさで照明することができる。
【０００７】
本発明の第２の特徴は、前記ＬＥＤモジュールの隣り合う前記ＬＥＤ光源は、これらを通る仮想鉛直面に対して、当該ＬＥＤ光源の出射光軸が傾くように配置されていること、を特徴とする。
第２の特徴によれば、階段の踏面や廊下の床面にＬＥＤ光源の出射光軸を向けることで、十分な明るさで照明することができる。
【０００８】
本発明の第３の特徴は、前記ルーバー部は、前記光透過層と前記遮光層とが前記開口部の長手方向に交互に配置されると共に、前記遮光層が前記開口部の長手方向に対して略直交に配置されていること、を特徴する。
第３の特徴によれば、開口部の長手方向に対して直交に配置された遮光層により、照明カバーから手摺笠木の長手方向に出射する光が遮蔽されるため、通行人が照明手摺を低位置から見上げた際に、ＬＥＤ光源の光が直接目に入るのを防止することができる。具体例としては、第３の特徴を備えた本発明は、階段、傾斜路など高低差のある場所に設置されると、より効果的である。
【０００９】
本発明の第４の特徴は、前記ルーバー部は、前記光透過層と前記遮光層とが前記開口部の幅方向に交互に配置されると共に、前記遮光層が前記開口部の長手方向に対して平行に配置されていること、を特徴する。
第４の特徴によれば、開口部の長手方向に対して平行に配置された遮光層により、照明カバーから手摺笠木の幅方向に出射する光が遮蔽されるため、通行人が照明手摺を低位置から見上げた際に、ＬＥＤ光源の光が直接目に入ることを防止できる。具体例としては、第４の特徴を備えた本発明は、階段、傾斜路、吹き抜けなど高低差のある場所において光透過性を有する壁面（例えば、ガラス壁等）に設置されると、より効果的である。
【００１０】
本発明の第５の特徴は、前記第４の特徴に加え、前記ルーバー部の遮光層は、隣り合う前記ＬＥＤ光源を通る仮想鉛直面に対して傾くように配置されていること、を特徴とする。
第５の特徴によれば、ＬＥＤ光源の光を階段の踏面や廊下の床面に向けることができるため、通行人が照明手摺を低位置から見上げた際に、ＬＥＤ光源の光が直接目に入ることをより効果的に防止できる。
【００１１】
本発明の第６の特徴は、前記第５の特徴に加え、前記遮光層の傾斜方向と前記ＬＥＤ光源素子の発光軸とが略同方向となっていること、を特徴とする。
第６の特徴によれば、照明カバーにおいてＬＥＤ光源の光が透過する視野範囲を制限しつつ、視野範囲では、ＬＥＤ光源からの光を遮光層で遮ることなく効率よく透過することができ、より明るく照らすことができる。
【００１２】
本発明の第７の特徴は、前記ＬＥＤ光源と前記照明カバーとの間に光拡散板を設けたこと、を特徴とする。
第７の特徴によれば、光拡散板によりＬＥＤ光源からの光が拡散される結果、光が面状に広がり拡散されるため、照明カバーにおいて複数のＬＥＤ光源の光が点々と見えることを軽減できる。
【発明の効果】
【００１３】
本発明によれば、階段、傾斜路、吹き抜けなど高低差のある場所に設置した場合に、通行人が低地から見上げた際にＬＥＤ光源の眩しさを防止すると共に、十分な明るさで照明することができる。
【図面の簡単な説明】
【００１４】
【図１】本発明に係る照明手摺の第１例及び第２例の設置状態を示す全体斜視図である。
【図２】第１例の照明手摺が階段及び階上廊下に設置された状態を示す斜視図である。
【図３】第１例の照明手摺を示す断面斜視図である。
【図４】第１例の照明手摺の分解斜視図である。
【図５】第１例の照明手摺の断面説明図である。
【図６】（ａ）は第１例の照明手摺の下面図であり、（ｂ）はｂ−ｂ線断面図である。
【図７】第２例の照明手摺がガラス壁に設置された状態を示す斜視図である。
【図８】第２例の照明手摺の断面説明図である。
【図９】第２例の照明カバーの拡大断面図である。
【００１５】
以下、本発明に係る照明手摺を実施するための形態を、図面を参照して詳細に説明する。
図１に示すように、第１例の照明手摺１０は、階段及び階上廊下の壁面Ｗ１に設置されており、また、第２例の照明手摺１００は、階上廊下の光透過性を有するガラスフェンスＧ及び壁面Ｗ２に設置されている。
【００１６】
先ずは、本発明の実施形態の第１例について、図２から図６を参照して説明する。
図２に示すように、第１例の照明手摺１０は、壁面Ｗ１に所定の間隔をおいて取り付けられるブラケット２０に支持され、階段及び階上廊下の壁面Ｗ１に固定される。図３に示すように、ブラケット２０は２本の棒体をＬ字状に連結した形状であり、ビス等により壁面Ｗ１に固定される。ブラケット２０の上端に支持部材２１が連結され、この支持部材２１の上にネジ等によって手摺笠木３０が固定される。
【００１７】
図４に示すように、照明手摺１０は、下方に開口する凹部３１が長手通しに設けられた手摺笠木３０と、ＬＥＤモジュール４０を有する照明ユニット５０とを備えている。
手摺笠木３０は、ステンレス等の金属板の折り曲げ加工により、下方に開口した凹部３１を有する略筒状に形成されている。
図４に示すように、照明ユニット５０は、ＬＥＤモジュール４０と、ＬＥＤモジュール４０及び電気ケーブル５１を収容するハウジング６０と、ハウジング６０の投光用開口部６９を閉塞する照明カバー８０を備えている。
【００１８】
ＬＥＤモジュール４０は、適宜間隔で複数のＬＥＤ光源４１を並列に実装した帯状のプリント基板４２を透明の軟質合成樹脂製の収容チューブ４３内に収容して形成されている。
図４に示すように、プリント基板４２の長手方向一端側には、陽極側および陰極側の２本のリード線５２がプリント基板４２にプリントされる電気回路に接続されてプリント基板４２から引き出され、これらのリード線５２を給電用の電気ケーブル５１に結線させることによりＬＥＤ光源４１に給電できるようになっている。
なお、ＬＥＤ光源４１の配置間隔は光量等を考慮して適宜決定される。
【００１９】
ハウジング６０は、アルミニウム等の金属の押出成形により形成されている。ハウジング６０は、図５に示すように、ＬＥＤモジュール４０を保持するＬＥＤモジュール保持部６１と、電気ケーブル５１を保持するケーブル保持部６２と、照明カバー８０及び光拡散板９０が設けられる一対のガイド壁６３と、係止爪６４を有する一対の係止片６５とで構成されている。
【００２０】
手摺笠木３０の凹部３１の天井壁には、長尺のレール部材６６がネジで固定されている。レール部材６６は、両端に一対の弾性係止片６７が設けられており、弾性係止片６７とハウジング６０の係止爪６４とが弾性嵌合してハウジング６０がレール部材６６に保持されている。
【００２１】
一対のガイド壁６５の下端には、それぞれ鍔部６８が形成されており、一対の鍔部６８の間が投光用開口部６９となっている。投光用開口部６９は、一対の鍔部６８に保持される照明カバー８０により閉塞される。そして、照明カバー８０と一対の鍔部６８により凹部３１の開口部３２が閉塞される。
【００２２】
図５に示すように、隣り合うＬＥＤ光源４１は、これらを通る仮想鉛直面Ｓに対して、ＬＥＤ光源４１の出射光軸Ｐ（出射光量が最大となる光軸）が傾くように配置される。第１例では、ＬＥＤ光源４１の出射光軸Ｐは、階段の踏面や廊下の床面に向かうように、仮想鉛直面Ｓを基準に壁面Ｗ１側に傾いている。
【００２３】
照明カバー８０は、帯板状に形成されている。また、照明カバー８０には、入射したＬＥＤ光源４１の光に対し、出射方向を制限しつつ透過させるルーバー部８１が設けられている。照明カバー８０は、ハウジング６０における一対のガイド壁６５に形成された照明カバー装着溝７０に装着されている。
【００２４】
図６（ｂ）に示すように、ルーバー部８１は、ＬＥＤ光源４１の光を透過させる光透過層８２とＬＥＤ光源４１の光を遮蔽する遮光層８３とを備えている。第１例では、光透過層８２と遮光層８３とが笠木本体３０の開口部３２の長手方向に交互に配置されると共に、遮光層８３が開口部３２の長手方向に対して略直交に配置されている。光透過層８２は、透明なシリコーンゴム組成物で形成される。また、遮光層８３は、シリコーンゴム組成物に、黒、青、緑、赤などの色彩が着色されることにより形成される。
ルーバー部８１の厚み（図６（ｂ）の左右方向）は、０．１〜２．５ｍｍ程度が好ましい。 光透過層８２の厚み（図６（ｂ）の上下方向）は、０．０５ｍｍ〜０．３ｍｍ程度が好ましく、遮光層８３の厚み（図６（ｂ）の上下方向）は、０．００５ｍｍ〜０．０５ｍｍ程度が好ましい。
【００２５】
ルーバー部８１の表裏（図６（ｂ）の左右側）には、耐熱性を有する高透明なプラスチックフィルム８４（例えば、ポリカーボネート等）が貼り付けられている。第１例では、プラスチックフィルム８４に対して光透過層８２と遮光層８３とが垂直となるように配置されている。プラスチックフィルム８４の厚みは、０．０１ｍｍ〜０．５ｍｍ程度が好ましい。
【００２６】
ＬＥＤモジュール４０と照明カバー８０との間には、ＬＥＤ光源４１からの光を拡散させて透過させる光拡散板９０が設けられている。光拡散板９０は、一対のガイド壁６５に形成された光拡散板装着溝７１に装着されている。
【００２７】
次に、上述した第１例の照明手摺１０を壁面Ｗ１に取り付ける方法について説明する。
まず、施工現場において、ブラケット２０間の間隔に合わせて照明ユニット４０、レール部材６６、照明カバー８０、光拡散板９０を切断し、また、電気ケーブル５１を手摺笠木３０の全長よりやや長くなる程度に切断する。
【００２８】
そして、ＬＥＤモジュール４０をハウジング６０のＬＥＤモジュール保持部６１に固定し、照明カバー８０をガイド壁６３の照明カバー装着溝７０に挿入し、光拡散板９０を光拡散板装着溝７１に挿入する。そして、電気用ケーブル５１をケーブル保持部６２に収容する。
【００２９】
次に、手摺笠木３０の凹部３１の天井壁に、レール部材６６をネジで固定し、ＬＥＤモジュール４０等を収容したハウジング６０を凹部３１内に挿入し、レール部材６６の弾性係止片６７とハウジング６０の係止爪６４とを弾性嵌合させ、レール部材６６にハウジング６０を保持させる。このとき、ＬＥＤ光源４１の出射光軸Ｐが階段の踏面や廊下の床面となるようにハウジング６０を取り付ける。
【００３０】
そして、連結補助部材９１をハウジング６０，６０間の凹部３１内に挿入し、ネジ等により支持部材２１を介して手摺笠木３０をブラケット２０に固定する。
最後に、電気ケーブル５１の両端を適宜の穴を通して壁面Ｗ１の内側に引き出すなどし、電源制御部を介して商用電源やバッテリーに接続すれば、照明手摺１０が完成する。
【００３１】
上述した第１例の照明手摺１０によれば、照明カバー８０のルーバー部８１は、光透過層８２と遮光層８３とが開口部３２の長手方向に交互に配置されると共に、遮光層８３が開口部３２の長手方向に対して略直交に配置されているので、遮光層８３により照明カバー８０から手摺笠木３０の長手方向に出射する光が遮蔽される。これにより、照明手摺１０を階段に設置した場合に、通行人が階下側から階上を見上げた際に、階上側のＬＥＤ光源４１の光が通行人の目に直接入ることを防止でき、通行人が感じる不快な眩しさを防止することができる。
【００３２】
また、照明手摺１０をブラケット２０により壁面Ｗ１に取り付けたとき、ＬＥＤ光源４１の出射光軸Ｐが、階段の踏面や廊下の床面に向かうように、仮想鉛直面Ｓを基準に壁面Ｗ１側に傾いているので、階段の踏面や廊下の床面を十分な明るさで照明することができる。
さらに、ＬＥＤモジュール４０と照明カバー８０との間に光拡散板９０を設けたので、光拡散板９０によりＬＥＤ光源４１からの光が拡散されるため、照明カバー８０において複数のＬＥＤ光源４１の光が点々と見えることを軽減できる。
【００３３】
次に、本発明の実施形態の第２例について、図７から図９を参照して説明する。
第２例の照明手摺１００は、第１例の照明手摺１０と照明カバー８０のみが相違し、その他については同一の構成である。以下、第２例について、第１例と同一の構成については、その詳細は第１例の説明を援用する。
第２例の照明カバー１１０は、図８及び図９に示すように、第２例のルーバー部１１１は、光透過層１１２と遮光層１１３とが手摺笠木３０の開口部３２の幅方向に交互に配置されると共に、遮光層１１３が開口部３２の長手方向に対して略平行に配置されている。
ルーバー部１１１の厚み（図９の上下方向）は、０．１〜２．５ｍｍ程度が好ましい。 光透過層１１２の厚み（図９の左右方向）は、０．０５ｍｍ〜０．３ｍｍ程度が好ましく、遮光層１１３の厚み（図９の左右方向）は、０．００５ｍｍ〜０．０５ｍｍ程度が好ましい。
【００３４】
ルーバー部１１１の表裏（図９の上下側）は、耐熱性を有する高透明なプラスチックフィルム１１４（例えば、ポリカーボネート等）が貼り付けられている。
第２例では、図８及び図９に示すように、ルーバー部１１１の遮光層１１３は、隣り合うＬＥＤ光源４１を通る仮想鉛直面Ｓに対して傾くように配置されており、遮光層１１３とＬＥＤ光源４１の出射光軸Ｐとが略平行となっている。即ち、第２例においては、図９に示すように、光透過層１１２と遮光層１１３とが、ＬＥＤ光源４１の出射光軸Ｐと略平行となっている。
【００３５】
第２例の照明手摺１００によれば、照明カバー１００のルーバー部１１１は、光透過層１１２と遮光層１１３とが開口部３２の幅方向に交互に配置されると共に、遮光層１１３が開口部３２の長手方向に対して略平行に配置されているので、遮光層１１３により照明カバー１１０から手摺笠木３０の幅方向に出射する光が遮蔽される。また、照明カバー１１０は、隣り合うＬＥＤ光源４１を通る仮想鉛直面Ｓを基準に、遮光層１１３がガラスフェンスＧ側に傾いているので、照明カバー１１０からガラスフェンスＧ方向に出射する光が遮蔽される。これにより、第２例のように照明手摺１００を階上廊下のガラスフェンスＧに設置した場合に、階下の通行人が階上を見上げた際に、ガラスフェンスＧ越しにＬＥＤ光源４１の光が通行人の目に直接入るのを防止することができる。
【００３６】
また、第２例によれば、照明手摺１００をブラケット２０によりガラスフェンスＧや壁面Ｗ２に取り付けたとき、ＬＥＤ光源４１は、出射光軸Ｐが仮想鉛直面Ｓを基準にガラスフェンスＧ側に傾いて配置されており、ルーバー部１１１は、遮光層１１３が出射光軸Ｐと略平行に配置されている。これにより、ＬＥＤ光源４１の光を効率よく階上廊下の床面に向けて出射させて、より明るく照らすことができる。
【００３７】
本発明は、上述の実施形態に限定されるものではなく、本発明の要旨を逸脱しない範囲において適宜の変更が可能である。
本実施形態では、ブラケット２０を利用して照明手摺１０，１００を壁面等に取り付ける場合を示したが、階段や傾斜路等に複数の手摺支柱を立設し、これらの手摺支柱に照明手摺１０，１００を架設することも可能である。この場合には、電気ケーブル５１を手摺支柱を介して階段の下方のスペースなどに引き出した上で、商用電源等に接続すればよい。また、本実施形態では、ハウジング６０とレール部材６６が別体となっているが、ハウジングとレール部材とを一体に成形してもよい。
【産業上の利用可能性】
【００３８】
本発明は、階段、傾斜路、吹き抜け等に設置される照明手摺に利用できる。
【符号の説明】
【００３９】
１０，１００  照明手摺
２０  ブラケット
２１  支持部材
３０  手摺笠木
３１  凹部
３２  開口部
４０  ＬＥＤモジュール
４１  ＬＥＤ光源
４２  プリント基板
４３  収容チューブ
５０  照明ユニット
５１  電気ケーブル
５２  リード線
６０  ハウジング
６１  ＬＥＤモジュール保持部
６２  ケーブル保持部
６３  ガイド壁
６４  係止爪
６５  係止片
６６  レール部材
６７  弾性係止片
６８  鍔部
６９  投光用開口部
７０  照明カバー装着溝
７１  光拡散板装着溝
８０，１１０  照明カバー
８１，１１１  ルーバー部
８２，１１２  光透過層
８３，１１３  遮光層
８４，１１４  プラスチックフィルム
９０  光拡散板
９１  連結補助部材
Ｗ１，Ｗ２  壁面
Ｇ  ガラスフェンス
Ｐ  出射光軸
Ｓ  仮想鉛直面
【図１】
2020204236.tif 000003
【図２】
2020204236.tif 000004
【図３】
2020204236.tif 000005
【図４】
2020204236.tif 000006
【図５】
2020204236.tif 000007
【図６】
2020204236.tif 000008
【図７】
2020204236.tif 000009
【図８】
2020204236.tif 000010
【図９】
2020204236.tif 000011